【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
ペイメントカード保有者にペイメントカードの制御を提供する方法であって、
管理プラットフォームによって、ペイメントカードの使用についての使用パラメータのセットを構成することと、
前記管理プラットフォームの処理装置によって、前記ペイメントカードを前記管理プラットフォームに関連づけることと、
前記管理プラットフォームによって、前記ペイメントカード保有者に前記使用パラメータのセットから１つ以上の使用パラメータを選択させることと、
前記処理装置によって、カード保有者パラメータのセットを前記選択された使用パラメータに基づいて前記ペイメントカードと関連づけることであって、前記カード保有者パラメータは、前記ペイメントカードに対する許容できる取引及び許容できない取引を決定するための定義ルールを、前記選択された使用パラメータ毎に含み、
前記管理プラットフォームによって、前記ペイメントカードの各々の取引に対する承認に干渉することと、
前記管理プラットフォームによって、前記カード保有者パラメータに基づいて、前記取引の各々を、前記許容できる取引、前記許容できない取引の何れか１つとして識別することと、
前記管理プラットフォームによって、前記ペイメントカード保有者に、メッセージを介して、少なくとも１つの前記許容できない取引について通知することと
を有することを特徴とする方法。
【請求項２】
更に、前記管理プラットフォームによって、前記カード保有者パラメータにより、前記許容できない取引として識別された前記取引に対する前記承認を拒絶することを有することを特徴とする請求項１の方法。
【請求項３】
前記拒絶することは、前記許容できない取引の各々についての前記承認を拒絶する前に、前記管理プラットフォームから検証を取得することを含むことを特徴とする請求項２の方法。
【請求項４】
前記使用パラメータのセットは、指定された期間における総取引の額に対する制限と、単一取引の額に対する制限と、特定の期間における最大取引回数と、特定タイプ取引の最大取引回数と、各特定タイプの取引に対する各々の最大取引回数と、当該ペイメントカードの地理的な使用制限と、特定タイプの取引に対する遮断と、取引タイプに基づく該ペイメントカードの地理的な使用制限と、ペイメントカードの使用が許された1週間内の日数に対する制限と、ペイメントカードの使用が許された日の時刻に対する制限と、からなるグループから選択された1つ以上の特性の任意の組み合わせを含むことを特徴とする請求項１の方法。
【請求項５】
前記使用パラメータはペイメントカード発行者により設定されることを特徴とする請求項１の方法。
【請求項６】
前記ペイメントカード保有者に前記使用パラメータのうち１つ以上を選択させる前記工程は、前記管理プラットフォームを介して実行されることを特徴とする請求項１の方法。
【請求項７】
前記メッセージの伝達は、ＳＭＳ、電子メール、インスタントメッセージ、実時間通信チャネル、準実時間通信チャネル、からなるグループから選択された1つ以上の通信方法の任意の組み合わせを含むことを特徴とする請求項１の方法。
【請求項８】
ペイメントカード保有者にペイメントカードの制御を提供する方法であって、
管理プラットフォームによって、ペイメントカードの使用についての使用パラメータのセットを構成することと、
前記管理プラットフォームの処理装置によって、前記ペイメントカードを前記管理プラットフォームに関連づけることと、
前記管理プラットフォームによって、前記ペイメントカード保有者に前記使用パラメータのうち１つ以上を選択させることと、
前記処理装置によって、カード保有者パラメータのセットを前記選択された使用パラメータに基づいて前記ペイメントカードと関連づけることであって、前記カード保有者パラメータは、前記ペイメントカードに対する許容できる取引及び許容できない取引を決定するための定義ルールを、前記選択された使用パラメータ毎に含み、
前記管理プラットフォームによって、前記ペイメントカードの各々の取引に対する承認に干渉することと、
前記管理プラットフォームによって、前記カード保有者パラメータに基づいて、前記取引の各々を、前記許容できる取引、前記許容できない取引の何れか１つとして識別することと、
前記管理プラットフォームによって、自動拒絶機能を介して、前記カード保有者パラメータにより、前記許容できない取引のうちの１つとして特定された前記取引についての少なくとも１つの前記承認を拒絶することと
を有することを特徴とする方法。
【請求項９】
前記自動拒絶機能は、前記許容できない取引の各々についての前記承認を拒絶する前に、前記管理プラットフォームからの検証を要求することを含むことを特徴とする請求項８の方法。
【請求項１０】
前記使用パラメータのセットは、指定された期間における総取引の額に対する制限と、単一取引の額に対する制限と、特定の期間における最大取引回数と、特定タイプ取引の最大取引回数と、各特定タイプの取引に対する各々の最大取引回数と、当該ペイメントカードの地理的な使用制限と、特定タイプの取引に対する遮断と、取引タイプに基づく該ペイメントカードの地理的な使用制限と、ペイメントカードの使用が許された1週間内の日数に対する制限と、ペイメントカードの使用が許された日の時刻に対する制限と、からなるグループから選択された1つ以上の特性の任意の組み合わせを含むことを特徴とする請求項８の方法。
【請求項１１】
前記使用パラメータはペイメントカード発行者により設定されることを特徴とする請求項８の方法。
【請求項１２】
前記ペイメントカード保有者に前記使用パラメータのうち１つ以上を選択させる前記工程は、前記管理プラットフォームを介して実行されることを特徴とする請求項８の方法。
【請求項１３】
前記メッセージの伝達は、ＳＭＳ、電子メール、インスタントメッセージ、他の実時間通信チャネル、準実時間通信チャネル、からなるグループから選択された伝達方法の1つ以上の組み合わせの任意の組み合わせに基づく選択を含む、ことを特徴とする請求項８の方法。
【請求項１４】
ペイメントカード保有者がペイメントカードの管理をできるようにする方法であって、
管理プラットフォームによって、ペイメントカードの使用についての使用パラメータのセットを構成することと、
前記管理プラットフォームの処理装置によって、前記ペイメントカードを前記管理プラットフォームに関連づけることと、
前記管理プラットフォームによって、前記ペイメントカード保有者に前記使用パラメータから１つ以上の使用パラメータを選択させることと、
前記処理装置によって、カード保有者パラメータのセットを前記選択された使用パラメータに基づいて前記ペイメントカードと関連づけることであって、前記カード保有者パラメータは、前記ペイメントカードに対する許容できる取引及び許容できない取引を決定するための定義ルールを、前記選択された使用パラメータ毎に含み、
前記管理プラットフォームによって、前記ペイメントカードの各々の取引に対する承認に干渉することと、
前記管理プラットフォームによって、前記カード保有者パラメータに基づいて、前記取引の各々を、前記許容できる取引、前記許容できない取引の何れか１つとして識別することと、
前記管理プラットフォームによって、前記ペイメントカードに対する全ての取引のセットに基づいて選択された取引のセットに関する情報を、ユーザインターフェースを用いて表示することと
を有することを特徴とする方法。
【請求項１５】
前記使用パラメータのセットは、
指定された期間における総取引の額に対する制限と、
単一取引の額に対する制限と、特定の期間における最大取引回数と、
特定タイプ取引の最大取引回数と、各特定タイプの取引に対する各々の最大取引回数と、
当該ペイメントカードの地理的な使用制限と、特定タイプの取引に対する遮断と、取引タイプに基づく該ペイメントカードの地理的な使用制限と、
ペイメントカードの使用が許された1週間内の日数に対する制限と、
ペイメントカードの使用が許された日の時刻に対する制限と
からなるグループから選択された1つ以上の特性の任意の組み合わせを含むことを特徴とする請求項１４の方法。
【請求項１６】
前記使用パラメータはペイメントカード発行者により設定されることを特徴とする請求項１４の方法。
【請求項１７】
前記ペイメントカード保有者に前記使用パラメータのうち１つ以上を選択させる前記工程は、前記管理プラットフォームを介して実行されることを特徴とする請求項１４の方法。
【請求項１８】
前記ユーザインターフェースは、前記選択された取引に対する解析を提供することを特徴とする請求項１４の方法。
【請求項１９】
前記解析は、取引カテゴリと、指定された期間と、指定されたペイメントカードと、当該取引についての詳細のセットと、取引額と予算上の取引額との比較と、からなるグループから選択された1つ以上の特性の組み合わせの任意の組み合わせに基づいていることを特徴とする請求項１８の方法。
【請求項２０】
前記ユーザインターフェースは、前記選択された取引に対するグラフィカル表示を提供することを特徴とする請求項１４の方法。
【請求項２１】
前記表示は、バーグラフ、棒グラフ、パイグラフ、戦グラフ、リスト、並びに、これらの組み合わせからなるグループから選択されることを特徴とする請求項２０の方法。